(57)【特許請求の範囲】
【請求項１】
床面上に設置される支持台と、
前記支持台によって支持され、前記床面に対して垂直方向に延びる支柱と、
前記支柱に取り付けられ、前記支柱の中心軸周りに回動可能な軸体と、前記軸体の外周部に互いに１２０度の角度間隔で設けられた３本の腕体と、を有するハンガーホルダと、
を備えたハンガー収納具であって、
前記腕体は前記支柱の中心軸から一定の長さだけ離間させる干渉防止腕部と、前記干渉防止腕部から６０度の角度で伸びるハンガー掛け腕部とを有していることを特徴とするハンガー収納具
【請求項２】
前記ハンガーホルダは、ハンガーに掛けられた衣服を前記干渉防止腕部と平行な向きに整列した状態で吊り下げて収納することを特徴とする請求項１に記載のハンガー収納具。
【請求項３】
前記ハンガー掛け腕部には、吊り下げられるハンガーの方向を前記干渉防止腕部に平行な方向に規制するハンガー方向規制手段が設けられていることを特徴とする請求項１又は請求項２に記載のハンガー収納具。
【請求項４】
前記ハンガーホルダは、前記支柱の上下方向に間隔を開けて複数配置されていることを特徴とする請求項１乃至請求項３のいずれか１項に記載のハンガー収納具。
【請求項５】
さらに、前記支柱の上端部に接続されたカバー体保持リングと、前記カバー体保持リングの上部から垂下されたカバー体とを備えることを特徴とする請求項１乃至請求項４のいずれか１項に記載のハンガー収納具。
【発明の詳細な説明】
【技術分野】
【０００１】
本発明は、衣服を掛けた複数のハンガーを収納するハンガー収納具に関する。
【背景技術】
【０００２】
従来のハンガー収納具としては、支持台上に回動自在な支柱を設け、その支柱の外周部から３方向に延在するハンガー掛けを設けたものが知られている（特許文献１）。上述のハンガー収納具では、ハンガー掛けに、支柱の中心軸から一定の距離だけ離隔させる外出し腕部と、外出し腕部から直角に屈曲して延在するハンガー掛け腕部とを設けることで、異なるハンガー掛けに掛けられたハンガー同士の干渉を防止している。
【先行技術文献】
【特許文献】
【０００３】
【特許文献１】特開２０００−１２６０１２号公報
【発明の概要】
【発明が解決しようとする課題】
【０００４】
本発明は、特許文献１に開示されたハンガー収納具よりも占有床面積を抑制することができるハンガー収納具を提供することを目的とする。
【課題を解決するための手段】
【０００５】
本発明の一観点によれば、床面上に設置される支持台と、前記支持台によって支持され、前記床面に対して垂直方向に延びる支柱と、前記支柱に取り付けられ、前記支柱の中心軸周りに回動可能な軸体と、前記軸体の外周部に互いに１２０度の角度間隔で設けられた３本の腕体と、を有するハンガーホルダと、を備えたハンガー収納具であって、前記腕体は前記支柱の中心軸から一定の長さだけ離間させる干渉防止腕部と、前記干渉防止腕部から６０度の角度で伸びるハンガー掛け腕部とを有していることを特徴とするハンガー収納具が提供される。
【０００６】
以下、上記一観点のハンガー収納具の作用について図１〜図３を参照しつつ説明する。
【０００７】
図１は、干渉防止腕部とハンガー掛け腕部との角度を６０度とした本発明のハンガー収納具を示す上面図である。図２は、図１のハンガー収納具において干渉防止腕部とハンガー掛け腕部との角度を４５度とした比較例１を示す上面図であり、図３は図１のハンガー収納具において干渉防止腕部とハンガー掛け腕部との角度を９０度とした比較例２を示す上面図である。なお、図１〜図３において支持部は省略されている。
【０００８】
（本発明のハンガー収納具）
図１に示すように、上記ハンガー収納具のハンガーホルダ３では、支柱２の中心軸周りに回動可能な軸体３０の外周部に、３本の腕体３１を相互に１２０度の角度間隔で配置している。さらに、各腕体３１の干渉防止腕部３１ａとハンガー掛け腕部３１ｂとの角度を６０度としている。これにより、ハンガー掛け腕部３１ｂと、それに隣接する他の腕体３１の干渉防止腕部３１ａとが平行になる。
【０００９】
そのため、例えば図６に示すように、一定の幅のハンガー５０をハンガー掛け腕部３１ｂの内周側から先端側に掛けて収納する場合には、図１の鎖線５１に示すように、干渉防止腕部３１ｂの内周側から先端側のどの場所にハンガーを掛けても隣接する干渉防止腕部３１ａとハンガーとを接触させずにハンガーを収納できる。
【００１０】
（比較例１のハンガー収納具）
図２に示すように、ハンガー掛け腕部３１ｂと干渉防止腕部３１ａとの角度を４５度とした比較例１では、ハンガー掛け腕部３１ｂは、その先端側に向かうほど他の腕体３１の干渉防止腕部３１ａに近接する。
【００１１】
そのため、ハンガー掛け腕部３１ｂの内周側から先端側までの部分に一定の幅のハンガーを掛けると、図２の鎖線５２に示すように、先端側に掛けられたハンガーが干渉防止腕部３１ａと接触したり、他の腕体３１に掛けられたハンガーと接触してしまう。したがって、比較例２のようにハンガー掛け腕部３１ｂと干渉防止腕部３１ａとの角度を４５度としたのでは、ハンガーをスムーズに収納することができなくなってしまう。
【００１２】
（比較例２のハンガー収納具）
図３に示すように、ハンガー掛け腕部３１ｂと干渉防止腕部３１ａとの角度を９０度とした比較例２の場合には、ハンガー掛け腕部３１ｂは、その先端側に向かうほど他の腕体３１の干渉防止腕部３１ａから離れる。
【００１３】
そのため、図３の鎖線５３に示すように、ハンガー掛け腕部３１ｂの内周側から先端側までの部分に一定の幅のハンガーを掛けると、それらのハンガーと隣接する干渉防止腕部３１ａとが接触することはない。
【００１４】
しかし、ハンガー掛け腕部３１ｂの先端側に掛けられたハンガーほど、隣接する干渉防止腕部３１との間隔が大きくなり、ハンガー掛け腕部３１ｂの先端側に必要以上に間隔（無駄なスペース）が生じてしまう。
【００１５】
このため、ハンガー掛け腕部３１ｂと干渉防止腕部３１ａとの角度を９０度とした比較例２のハンガー収納具では、本発明のハンガー収納具に比べて占有床面積が増加してしまう。
【００１６】
以上のように、本発明のハンガー収納具では、干渉防止腕部の内周側から先端側のどの場所にハンガーを掛けても干渉防止腕部とハンガーとを接触させることなくハンガーを収納できる。さらに、ハンガー掛け腕部の内周側から先端側に掛けられたハンガーと隣接する干渉防止腕部との間隔が広くなったり狭くなったりするのを防止できる。そのため、ハンガー間に無駄なスペースが発生するのを防ぐことができ、ハンガー収納時の占有床面積を抑制できる。
【図面の簡単な説明】
【００１７】
【図１】図１は、本発明の一観点によるハンガー収納具の使用時の状態を示す上面図である。
【図２】図２は、図１においてハンガー掛け腕部と干渉防止腕部との角度を４５度とした比較例１を示す上面図である。
【図３】図３は、図１においてハンガー掛け腕部と干渉防止腕部との角度を９０度とした比較例２を示す上面図である。
【図４】図４は、第１実施形態に係るハンガー収納具を示す斜視図である。
【図５】図５は、第１実施形態に係るハンガー収納具のハンガーホルダを示す断面図である。
【図６】図６は、第１実施形態に係るハンガー収納具の使用時の状態を示す斜視図である。
【図７】図７は、第１実施形態の変形例１に係るハンガー収納具のハンガーホルダを示す上面図である。
【図８】図８は、第１実施形態の変形例２に係るハンガー収納具を示す斜視図である。
【図９】図９は、図８に示すハンガー収納具の組み立て図である。
【図１０】図１０は、第１実施形態の変形例２のカバー体の別態様を示す斜視図である。
【発明を実施するための形態】
【００１８】
以下、本発明の実施形態について添付の図面を参照して説明する。
【００１９】
（第１実施形態）
図４は第１実施形態に係るハンガー収納具を示す斜視図である。図５は、第１実施形態に係るハンガー収納具のハンガーホルダを示す断面図である。なお、図５は、図１のＩ−Ｉ線に対応する部分の断面である。
【００２０】
図４に示すように、本実施形態のハンガー収納具５は、支持台１と、支持台１によって支持された支柱２と、支柱２の中心軸周りに回動可能なハンガーホルダ３とを備えている。
【００２１】
支持台１は、上側から見てＨ型に形成された金属製部材であり、その四隅には、各々キャスター１ａが設けられている。支持台１は、これらのキャスター１ａを介して床面上に設置されることで、床面上をスムーズに移動できる。支持台１の中央部からは、支柱２が床面に対して垂直方向に伸びている。
【００２２】
支柱２の下側部分は、下端部が支持台１に固定された下側支柱２１となっており、その下側支柱２１の上方には、支柱２の上側部分となる上側支柱２２が伸びている。下側支柱２１は上側支柱２２の外径よりも大きな内径を有し、上側支柱２２の下端部を収容するようにして上側支柱２２を支持している。上側支柱２２の上端部の高さは、下側支柱２１とのネジ止め位置を変更することで調整できる。下側支柱２１の上の部分及び上側支柱２２の上端部には、それぞれハンガーホルダ３が設けられている。
【００２３】
ハンガーホルダ３の中央部には、図５に示すように、円筒状の軸体３０が設けられている。軸体３０は、その内周部に上側支柱２２を貫通させるようにして上側支柱２２に取り付けられている。軸体３０の外周部からは、ハンガーホルダ３の一部を構成する３本の腕体３１が伸びている。これらの３本の腕体３１は相互に１２０度の角度で配置され、床面に対して水平な方向に伸びている。
【００２４】
腕体３１は、屈曲部３１ｃによって６０度の角度に屈曲されており、屈曲部３１ｃよりも内周側の部分が干渉防止腕部３１ａとなっており、屈曲部３１ｃよりも先端側の部分がハンガー掛け腕部３１ｂとなっている。ハンガー掛け腕部３１ｂは干渉防止腕部３１ａに対して６０度の角度で伸びているため、隣接する他の腕体３１の干渉防止腕部３１ａと平行になっている。
【００２５】
干渉防止腕部３１ａは、ハンガー掛け腕部３１ｂとそれに平行な干渉防止腕部３１ａとを一定の間隔Ｌ１だけ離間させることにより、ハンガー掛け腕部３１ｂに掛けられたハンガーが、他の腕体３１等と干渉するのを防ぐ。ここで、間隔Ｌ１は使用するハンガーの幅の半分以上の大きさに設定される。
【００２６】
ハンガー掛け腕部３１ｂの先端部には、ハンガー掛け腕部３１ｂに掛けられたハンガーの滑落を防止するべく、樹脂等からなるキャップ３１ｄが装着される。
【００２７】
以上のような腕体３１は、所定の形状に成形された金属や樹脂などの板材を屈曲部３１ｃとなる部分で曲げ加工することで形成できる。また、腕体３１は、軸体３０の外周部にネジ止め等の方法で固定される。
【００２８】
図６は、第１実施形態に係るハンガー収納具の使用時の状態を示す斜視図である。
【００２９】
図６に示すように、第１実施形態に係るハンガー収納具５は、各腕体３１のハンガー掛け腕部３１ｂの内周側から先端側に複数の一定の幅のハンガー（衣服）５０を掛けて使用する。ここでは、ハンガー５０は一定の幅であり、各ハンガー５０は干渉防止腕部３１ａと平行となるように整列して収納するものとする。
【００３０】
図１は、図６に示すようにハンガー５０を掛けたハンガー収納具５を上から見た状態に対応している。ハンガー収納具５では、図１の鎖線５１に示すように、ハンガー掛け腕部３１ｂの内周側から先端側のいずれの部分にハンガー５０を掛けても、ハンガー５０を隣接する腕体３１やそれに掛けられたハンガーと接触させることなく収納できる。また、ハンガー掛け腕部３１ｂの内周側から先端側に掛けられたハンガーと、これらに隣接する干渉防止腕部３１ａとの間隔が広くなったり狭くなったりするのを防ぐことができる。これにより、本実施形態のハンガー収納具５によれば、無駄なスペースの発生を防ぎつつハンガー５０を収納することができ、ハンガー収納時の占有床面積を抑制できる。
【００３１】
（変形例１）
図７は、第１実施形態の変形例のハンガー収納具に係るハンガーホルダを示す上面図である。
【００３２】
図７に示すように、本変形例のハンガー収納具６では、ハンガー掛け腕部３１ｂの上部にハンガー方向規制手段として複数の溝又は突出部３１ｅを設けている。これらの溝又は突出部３１ｅは、干渉防止腕部３１に平行な方向に伸びている。
【００３３】
このように、ハンガー掛け腕部３１ｂに、ハンガー方向規制手段としての溝又は突出部３１ｅを設けることにより、ハンガーの向きを干渉防止腕部３１ａに平行な方向に容易に揃えることができる。
【００３４】
（変形例２）
図８は、第１実施形態の変形例２のハンガー収納具を示す斜視図であり、図９は図８に示すハンガー収納具の組み立て図である。図１０は、第１実施形態の変形例２のカバー体の別態様を示す斜視図である。
【００３５】
図８に示すように、変形例２では、ハンガー収納具５に収納された衣服に埃や塵等が付着するのを防止すべく、ハンガー収納具５の上方及び側方をカバー体４１で覆っている。カバー体４１は、図９に示すように、ハンガー収納具５の上端に取り付けられたカバー体保持リング４０によって支持されている。なお、本変形例２ではカバー体４１に代えて、より簡略な構造を有する、図１０に示すカバー体４２を用いてもよい。
【００３６】
上述のように第１実施形態のハンガー収納具５によれば占有床面積が抑制されるため、カバー体保持リング４０の径を小さくできるとともに、ハンガー収納具５を覆うカバー体４１、４２の大きさも縮小できる。
【符号の説明】
【００３７】
１…支持台、１ａ…キャスター、２…支柱、３…ハンガーホルダ、５、６、７…ハンガー収納具、２１…下側支柱、２２…上側支柱、３０…軸体、３１…腕体、３１ａ…干渉防止腕部、３１ｂ…ハンガー掛け腕部、３１ｃ…屈曲部、３１ｄ…キャップ、３１ｅ…溝、４０…カバー体保持リング、４１、４２…カバー体。
【図１】
0005443154.tif 000002
【図２】
0005443154.tif 000003
【図３】
0005443154.tif 000004
【図４】
0005443154.tif 000005
【図５】
0005443154.tif 000006
【図６】
0005443154.tif 000007
【図７】
0005443154.tif 000008
【図８】
0005443154.tif 000009
【図９】
0005443154.tif 000010
【図１０】
0005443154.tif 000011